(57)【要約】【課題】物品を締結するベルト状締結具の不正使用を抑止できるようにすること。【解決手段】係止部３が、締結用ベルト部１が貫通する開口９ａ，９ｂを有する前後両側壁部８ａ，８ｂを備えた第一部材４と、抜け止め用係止片１６を備えた第二部材５とに分割され、第一部材４は、前後両側壁部８ａ，８ｂ間の底面部のみが開放し且つ第二部材５に対して外嵌する箱型に形成され、第二部材５は、第一部材４の開放底面部７を閉じる基板部１４から抜け止め用係止片１６が連設され、第一及び第二両部材４，５は、第一部材４の開放底面部７を第二部材５の基板部１４が閉じた嵌合状態において互いに結合一体化され、締結用ベルト部１は、係止部３の第一及び第二両部材４，５の何れか一方に連設された構成。【選択図】図１
2010023886.tif 000002
【特許請求の範囲】
【請求項１】
一側面に抜け止め用凹凸が形成された締結用ベルト部と、この締結用ベルト部の基部に連設された係止部とを備え、この係止部には、締結用ベルト部の挿通方向に適当間隔を隔てて位置すると共に締結用ベルト部が貫通する開口をそれぞれ有する前後両側壁部と、両側壁部の中間に形成されて締結用ベルト部の前記抜け止め用凹凸に係合する抜け止め用係止片とが設けられたベルト状締結具であって、前記係止部が、前記前後両側壁部を備えた第一部材と、前記抜け止め用係止片を備えた第二部材とに分割され、第一部材は、前記前後両側壁部間の底面部のみが開放し且つ第二部材に対して外嵌する箱型に形成され、第二部材は、第一部材の開放底面部を閉じる基板部から前記抜け止め用係止片が連設され、第一及び第二両部材は、第一部材の開放底面部を第二部材の基板部が閉じた嵌合状態において互いに結合一体化され、締結用ベルト部は、係止部の第一及び第二両部材の何れか一方に連設されている、ベルト状締結具。
【請求項２】
第一部材の開放底面部と第二部材の基板部との嵌合部には、両部材の嵌合状態において互いに係合する被係止凹部と係止凸部とが設けられ、これら被係止凹部と係止凸部は、両部材が嵌合状態から離脱するのを防止する抜け止め形状に構成されている、請求項１に記載のベルト状締結具。
【請求項３】
第二部材の基板部には、第一及び第二両部材の嵌合状態において、第一部材の開放底面部に対面する天井部、前後両側壁部、及び左右両側壁部のそれぞれに隣接する前後一対の門形立ち上がり壁部が設けられている、請求項１又は２に記載のベルト状締結具。
【請求項４】
締結用ベルト部は、係止部の第一部材から一体に連設されている、請求項１〜３の何れか１項に記載のベルト状締結具。
【請求項５】
第一部材の開放底面部と第二部材の基板部との嵌合部は、一定の前後向きにおいてのみ両者の嵌合を許す前後非対称形状に構成されている、請求項４に記載のベルト状締結具。
【請求項６】
係止部の第一部材には、表示板部が一体に連設されている、請求項１〜５の何れか１項に記載のベルト状締結具。
【発明の詳細な説明】
【技術分野】
【０００１】
本発明は、物品を結束する手段として、或いは物品に商品表示タグを締結する手段として使用されるベルト状締結具に関するものである。
【背景技術】
【０００２】
この種のベルト状締結具として、特許文献１に記載されるように、一側面に抜け止め用凹凸が形成された締結用ベルト部と、この締結用ベルト部の基部に連設された係止部とを備え、この係止部には、締結用ベルト部の挿通方向に適当間隔を隔てて位置すると共に締結用ベルト部が貫通する開口をそれぞれ有する前後両側壁部と、両側壁部の中間に形成されて締結用ベルト部の前記抜け止め用凹凸に係合する抜け止め用係止片とが設けられたものが知られている。このような構成のベルト状締結具を、単に一時的に線材などを結束する手段として使用する場合は問題ないが、例えば蟹などの地域特産品に産地名やブランド名を表示するタグを取り付ける手段として使用される場合、エンドユーザーに当該商品が届くまでの間に商品から取り外されたタグ付きベルト状締結具が正規の地域特産品ではない他の商品に不正に取り付けられるのを防止できるものでなければならない。換言すれば、一旦商品に締結したならば、針金や金属片などで抜け止め用係止片を操作して、締結用ベルト部の抜け止め用凹凸から抜け止め用係止片を離間させ、係止部から締結用ベルト部を抜き取ることができないようにし、商品からこのタグ付きベルト状締結具を取り外すときは、締結用ベルト部を切断する以外に手段がないように構成しなければならない。従来は、このような課題を解決する手段として、例えば特許文献１に記載されるように、係止部に抜け止め用係止片の周囲を取り囲む周壁を設け、その周壁の前後両側壁部に締結用ベルト部が貫通する開口をそれぞれ設けるように構成して、締結使用状態においては、抜け止め用係止片の周囲を取り囲む周壁により、外部から抜け止め用係止片を操作できなくすることが考えられていた。
【特許文献１】特公平６−８８６１０号公報
【発明の開示】
【発明が解決しようとする課題】
【０００３】
しかしながら、特許文献１に記載されたような従来のベルト状締結具の構成では、ベルト状締結具を合成樹脂により一体成形しようとすると、係止部の周壁の内側に抜け止め用係止片を一体成形するために、締結用ベルト部が貫通する開口が形成される前後両側壁部の一方に、抜け止め用係止片成形用型の抜き取り用開口が必要になり、この型抜き取り用開口を通じて内部の抜け止め用係止片を操作することまで防止することができない。
【課題を解決するための手段】
【０００４】
本発明は上記のような従来の問題点を解消し得るベルト状締結具を提供することを目的とするものであって、請求項１に記載のベルト状締結具は、後述する実施形態の参照符号を付して示すと、一側面に抜け止め用凹凸６が形成された締結用ベルト部１と、この締結用ベルト部１の基部に連設された係止部３とを備え、この係止部３には、締結用ベルト部１の挿通方向に適当間隔を隔てて位置すると共に締結用ベルト部１が貫通する開口９ａ，９ｂをそれぞれ有する前後両側壁部８ａ，８ｂと、両側壁部８ａ，８ｂの中間に形成されて締結用ベルト部１の前記抜け止め用凹凸６に係合する抜け止め用係止片１６とが設けられたベルト状締結具であって、前記係止部３が、前記前後両側壁部８ａ，８ｂを備えた第一部材４と、前記抜け止め用係止片１６を備えた第二部材５とに分割され、第一部材４は、前記前後両側壁部８ａ，８ｂ間の底面部のみが開放し且つ第二部材５に対して外嵌する箱型に形成され、第二部材５は、第一部材４の開放底面部７を閉じる基板部１４から前記抜け止め用係止片１６が連設され、第一及び第二両部材４，５は、第一部材４の開放底面部７を第二部材５の基板部１４が閉じた嵌合状態において互いに結合一体化され、締結用ベルト部１は、係止部３の第一及び第二両部材４，５の何れか一方に連設された構成となっている。
【０００５】
上記構成の本発明を実施するについて、具体的には請求項２に記載のように、第一部材４の開放底面部７と第二部材５の基板部１４との嵌合部に、両部材４，５の嵌合状態において互いに係合する被係止凹部１３ａ，１３ｂと係止凸部１７ａ，１７ｂとを設け、これら被係止凹部１３ａ，１３ｂと係止凸部１７ａ，１７ｂは、両部材４，５が嵌合状態から離脱するのを防止する抜け止め形状に構成することができる。
【０００６】
又、請求項３に記載のように、第二部材５の基板部１４には、第一及び第二両部材４，５の嵌合状態において、第一部材４の開放底面部７に対面する天井部１１、前後両側壁部８ａ，８ｂ、及び左右両側壁部１０のそれぞれに隣接する前後一対の門形立ち上がり壁部１５ａ，１５ｂを設けることができる。
【０００７】
更に、請求項４に記載のように、締結用ベルト部１は、係止部３の第一部材４から一体に連設することができる。この場合は、請求項５に記載のように、第一部材４の開放底面部７と第二部材５の基板部１４との嵌合部は、一定の前後向きにおいてのみ両者の嵌合を許す前後非対称形状に構成することができる。又、請求項６に記載のように、係止部３の第一部材４には、表示板部２を一体に連設することができる。
【発明の効果】
【０００８】
上記請求項１に記載の本発明に係るベルト状締結具によれば、第一部材の内側に第二部材を嵌合させて結合一体化された係止部は、前後両側壁部に締結用ベルト部を貫通させる開口が存在するだけの箱型空間内に抜け止め用係止片が収容された構造となるので、前記開口の大きさを、この開口に挿通された締結用ベルト部の周囲の隙間から内部の抜け止め用係止片を不正に操作できない程度に必要最小限に形成するだけで、締結用ベルト部で締結対象物を締結した使用状態において、係止部内部の抜け止め用係止片を外側から不正に操作して締結用ベルト部を抜き取ることが不可能な状態になる。従って、締結対象物からこのベルト状締結具を除去するときは、締結用ベルト部を切断する以外に手段はなくなり、係止部から締結用ベルト部を抜き取って不正に再使用するようなことを未然に防止することができる。即ち、締結用ベルト部を貫通させる開口とは別に、内部の抜け止め用係止片を成形するための開口などが存在する従来のものと比較して、不正な再使用の恐れが皆無のベルト状締結具を得ることができるので、このベルト状締結具の係止部に表示板部を連設するか又は、係止部や締結用ベルト部の表面を表示面に利用するなどして、産地名やブランド名を表示するタグ付きベルト状締結具として実施した場合には、このタグ付きベルト状締結具が締結された商品の産地やブランドの信憑性、信頼性を高めることができる。
【０００９】
尚、第一部材の開放底面部と第二部材の基板部との嵌合部には、両部材の嵌合深さを規制する段部を設けるだけにして、両部材の嵌合状態で両者を接着する方法で互いに結合一体化することもできるが、請求項２に記載の構成によれば、第一部材の開放底面部に対して単に第二部材の基板部を押し込んで、両部材の嵌合部における被係止凹部と係止凸部とを互いに嵌合係止させるだけで互いに結合一体化することができるので、組立てを簡単容易に行うことができる。
【００１０】
又、請求項３に記載の構成によれば、第二部材の基板部のみを第一部材の開放底面部に嵌合させる場合と比較して、前後一対の門形立ち上がり壁部をガイドにして第一部材に対する第二部材の嵌合位置を容易に位置決めすることができ、しかも第二部材に十分に力をかけて第一部材に押し込んでも、その第二部材の嵌合深さを前記前後一対の門形立ち上がり壁部によって制限することができ、第二部材の基板部が第一部材内に深く入り過ぎることも防止できる。
【００１１】
又、第一部材と第二部材の何れか一方には締結用ベルト部を連設しなければならないが、請求項４に記載のように、前後左右及び上側の５つの外側面を備えた箱型の第一部材側に締結用ベルト部を連設することにより、任意の方向への締結用ベルト部の連設が無理なく容易に行える。この場合、第一部材に対して第二部材を嵌合させるときの前後向き（抜け止め用係止片の長さ方向）が締結用ベルト部の連設向きによって決まることになり、所定向きに第二部材を第一部材に嵌合させなければ使用できなくなるが、請求項５に記載の構成によれば、第二部材を第一部材に誤って逆向きに嵌合させてしまう恐れがなくなり、組立て作業が容易になる。
【００１２】
尚、本発明に係るベルト状締結具を、締結対象物の産地名やブランド名を表示するタグ付きベルト状締結具として実施する場合、係止部や締結用ベルト部の表面を産地名やブランド名の表示面に利用することができるが、請求項６に記載の構成によれば、これら産地名やブランド名の表示に特化したサイズ及びデザインの表示板部を採用することができ、しかもこの表示板部を、前後左右及び上側の５つの外側面を備えた箱型の第一部材に連設することにより、任意の方向への当該表示板部の連設が無理なく容易に行える。
【発明を実施するための最良の形態】
【００１３】
以下に本発明の具体的実施例を添付図に基づいて説明すると、図１において、１は締結用ベルト部であり、差し込み尖端部１ａとは反対側の端部には表示板部２が一体成形により連設されている。３は係止部であって、締結用ベルト部１と表示板部２との境界部一側面に設けられている。この係止部３は、締結用ベルト部１及び表示板部２に一体成形により連設された第一部材４と、この第一部材４に対して嵌合されて結合一体化された第二部材５とから構成されている。締結用ベルト部１には、その差し込み尖端部１ａと係止部３側の一定長さ領域を除く領域の、係止部３が連設されている側とは反対側の側面において、尖端が係止部３のある側に向いた断面鋸刃状の抜け止め用凹凸６が形成されている。
【００１４】
以下、係止部３の構成を、図１に示すベルト状締結具から係止部３のみを切り離して示す図２〜図８に基づいて説明すると、係止部３を構成する第一部材４は、底面部のみが開放した箱型のもので、その開放底面部７に対する前後両側壁部８ａ，８ｂには、締結用ベルト部１を挿通させるための横長矩形の開口９ａ，９ｂが設けられ、左右両側壁部１０の後側壁部８ｂに隣接する内側には、開放底面部７から当該開放底面部７に対面する天井部１１に達する凹溝部１２が形成され、この凹溝部１２により開放底面部７が、凹溝部１２のある後端側が幅広の前後非対称形（凸形）に形成されている。更に、前後両側壁部８ａ，８ｂの開放底面部７を形成する下端辺には、その全幅にわたって被係止凹部１３ａ，１３ｂが形成されている。これら被係止凹部１３ａ，１３ｂは、開放底面部７側の下端の凹入深さが最大で、これより天井部１１側ほど凹入深さが漸次浅くなる、断面がほぼ直角三角形の抜け止め形状に形成されている。
【００１５】
係止部３を構成する第二部材５は、第一部材４の開放底面部７に丁度内嵌する大きさ及び形状（後端側が幅広の前後非対称形）の基板部１４と、この基板部１４の幅の狭い前端部から突設された幅の狭い前側の門形立ち上がり壁部１５ａと、幅の広い後端部から突設された幅の広い門形立ち上がり壁部１５ｂと、これら門形立ち上がり壁部１５ａ，１５ｂの中間位置で基板部１４から突設された抜け止め用係止片１６とから構成されている。而して、後ろ側の幅の広い門形立ち上がり壁部１５ｂの左右両側辺を第一部材４の凹溝部１２内に嵌合させるように、基板部１４を第一部材４の開放底面部７に内嵌させたとき、前側の幅の狭い門形立ち上がり壁部１５ａは、第一部材４の前側壁部８ａの内側面、左右両側壁部１０の内側面、及び天井部１１の内側面に隣接し、後ろ側の幅の広い門形立ち上がり壁部８ｂは、後側壁部８ｂの内側面、左右両側壁部１０の凹溝部１２の内側面、及び天井部１１の内側面に隣接することになる。このとき、前後一対の門形立ち上がり壁部１５ａ，１５ｂと第一部材４の天井部１１との隣接により、第一部材４の開放底面部７に対する基板部１４の嵌合深さが制限され、当該基板部１４が第一部材４の開放底面部７の周囲の端面とほぼ面一の状態になるが、この状態において、第一部材４側の前後一対の被係止凹部１３ａ，１３ｂに嵌合して基板部１４の抜け止めを図る、断面がほぼ直角三角形の抜け止め用係止凸部１７ａ，１７ｂが、基板部１４の前後両端面の全幅にわたって突設されている。
【００１６】
抜け止め用係止片１６は、前側の門形立ち上がり壁部１５ａに近い位置から後ろ側の門形立ち上がり壁部１５ｂのある側へ斜め上向きに延出するもので、上端には、締結用ベルト部１における抜け止め用凹凸６に係合して当該締結用ベルト部１の抜け止めを図る、尖端が後ろ側の門形立ち上がり壁部１５ｂのある側に向いた断面鋸刃状の抜け止め用凹凸１８が形成されている。
【００１７】
上記係止部３の第一部材４は、図１Ａに示すように、その前側壁部８ａが締結用ベルト部１と表示板部２との間に位置すると共に、開放底面部７が締結用ベルト部１の差し込み尖端部１ａのある側に向かって開口するように、これら締結用ベルト部１と表示板部２に一体に形成されている。而して、係止部３の第二部材５は、図４〜図８に示すように、後ろ側の幅の広い門形立ち上がり壁部１５ｂの左右両側辺を第一部材４の凹溝部１２内に嵌合させるように、基板部１４を第一部材４の開放底面部７に内嵌させて、前後両端の抜け止め用係止凸部１７ａ，１７ｂを被係止凹部１３ａ，１３ｂにそれぞれ係合させて、第一部材４の開放底面部７を塞ぐ状態に取り付ける。この結果、第二部材５は、その外側面が第一部材４の開放底面部７の周囲の端面と面一の状態に固定され、第一部材４と一体化され、ベルト状締結具が完成する。
【００１８】
尚、図２〜図８に示す第一部材４の前側壁部８ａは、一定厚さの偏平な板状のものとして例示しているが、図１Ａに示すように、当該前側壁部８ａは、表示板部２の一部分を構成するように、厚さや表面意匠を任意に変えることができる。
【００１９】
以上のように構成されたベルト状締結具は、例えば地域特産の蟹を、その脚をまとめた状態で締結すると共に表示板部２により産地名（ブランド名）を表示する手段として利用することができる。従って表示板部２は、図では簡略化して示しているが、実際にはこのベルト状締結具の締結対象物（地域特産の蟹）と関連し且つ一目を引くようなデザインが施されると共に、当該締結対象物の産地名やブランド名が表示されるものである。使用に際しては、締結対象物を囲繞した締結用ベルト部１の差し込み尖端部１ａを係止部３の開口９ａ，９ｂに挿通させるのであるが、このとき締結用ベルト部１の抜け止め用凹凸６を締結対象物に接する内側に位置させて、締結用ベルト部１で締結対象物を囲繞し、差し込み尖端部１ａを第一部材４の前側壁部８ａ側の開口９ａから後側壁部８ｂ側の開口９ｂに向かって挿通させる。この結果、図９〜図１１に示すように、締結用ベルト部１の抜け止め用凹凸６が、係止部３内の抜け止め用係止片１６の抜け止め用凹凸１８と対接して、当該抜け止め用係止片１６を弾性に抗して基板部１４側へ少し倒伏変形させながら、抜け止め用凹凸６の各尖端の向く方向とは逆方向（抜け止め用凹凸１８各尖端の向く方向）に相対移動することになる。
【００２０】
上記のように係止部３を挿通させた締結用ベルト部１の差し込み尖端部１ａを係止部３に対して強く引き抜き、締結用ベルト部１で締結対象物を締結することにより、このベルト状締結具による締結対象物の締結が完了するが、このとき、締結用ベルト部１の抜け止め用凹凸６に対して係止部３内の抜け止め用係止片１６の抜け止め用凹凸１８が係合し、係止部３に対して締結用ベルト部１が後退する方向に相対移動するのを阻止しているので、締結用ベルト部１による締結対象物の締結状態が保持される。そしてこのとき、抜け止め用係止片１６は、係止部３内に完全に収容された状態で外部からは前後両開口９ａ，９ｂを通じてのみ視認できる状況にあるから、係止部３の前後両開口９ａ，９ｂとこれらを貫通している締結用ベルト部１との間の隙間が、締結用ベルト部１の円滑な挿通操作を妨げない程度の必要最小限の寸法となるように構成しておけば、係止部３の外部から針金や金属片を用いて抜け止め用係止片１６を、その抜け止め用凹凸１８が締結用ベルト部１の抜け止め用凹凸６から離間するように操作することは不可能になり、締結用ベルト部１を切断する以外に締結対象物からの取り外し方法がないベルト状締結具として活用することができる。
【００２１】
尚、図１２〜図１５に示す実施形態では、締結用ベルト部１は係止部３の第一部材４における後側壁部８ｂと天井部１１との境界角部から一体に連設されている。又、締結用ベルト部１は、例えば締結対象物である蟹の主脚１本のみを締結できる程度に短く構成されたもので、先端の係止部３に挿通係合させる係合領域１９と、この係合領域１９と係止部３との間の締結領域２０とから成り、係合領域１９には、その差し込み尖端部１ａを除く全領域の外側面に前記抜け止め用凹凸６が形成され、締結領域２０の内側には、締結対象物に圧接して変形可能な舌片部２１ａ，２１ｂや帯状部２１ｃなどが一体に連設され、更に係止部３の第一部材４と締結領域２０との間の入隅部には、両者間の角度を保持する補強板部２２が一体に形成されている。又、締結領域２０の係合領域１９に隣接する端部には、係合領域１９を係止部３内に押し込む操作を容易にするための幅広の指当て部２３が一体に形成されている。
【００２２】
この別実施形態においても、係止部３の構成は先の実施形態と同一であり、締結用ベルト部１の係合領域１９を、その差し込み尖端部１ａから係止部３の開口９ａより開口９ｂに向かって挿通させることで、締結領域２０により締結対象物を締結することができるものであるが、締結対象物が太いときは、図１４に示すように、係合領域１９の先端側一部分のみが係止部３内に入り込んで抜け止め用凹凸６が係止部３内の抜け止め用係止片１６と係合し、開口９ｂからは係合領域１９の差し込み尖端部１ａが突出しない状態で使用され、締結対象物が細いときは、図１５に示すように、係合領域１９のほぼ全域が係止部３内に入り込んで抜け止め用凹凸６が係止部３内の抜け止め用係止片１６と係合し、開口９ｂから係合領域１９の差し込み尖端部１ａが突出する状態で使用される。又、各舌片部２１ａ，２１ｂや帯状部２１ｃなどが締結対象物の太さや締結強さなどに応じて適宜変形し、締結対象物をガタつきなく安定的に締結することができるものである。
【図面の簡単な説明】
【００２３】
【図１】Ａ図は係止部の組み立て前の状態を示すベルト状締結具の一部縦断側面図、Ｂ図は同ベルト状締結具の正面図である。
【図２】組み立て前の係止部単体を後ろ側から見たときの斜視図である。
【図３】組み立て前の係止部単体を前側から見たときの斜視図である。
【図４】組み立て前の係止部単体の縦断正面図である。
【図５】組み立て前の係止部単体の縦断側面図である。
【図６】組み立てた状態での係止部単体の縦断正面図である。
【図７】組み立てた状態での係止部単体の縦断側面図である。
【図８】組み立てた状態での係止部単体の横断平面図である。
【図９】係止部単体に締結用ベルト部が挿通された状態を示す縦断側面図である。
【図１０】係止部単体に締結用ベルト部が挿通された状態を示す横断平面図である。
【図１１】係止部単体に締結用ベルト部が挿通された状態を示す縦断正面図である。
【図１２】別の実施形態のベルト状締結具を係止部の組み立て前の状態で示す一部縦断側面図である。
【図１３】図１２の係止部の第二部材を省いた状態での底面図である。
【図１４】図１２のベルト状締結具の使用状態を示す側面図である。
【図１５】図１２のベルト状締結具の別の使用状態を示す側面図である。
【符号の説明】
【００２４】
１    締結用ベルト部
１ａ    差し込み尖端部
２    表示板部
３    係止部
４    第一部材
５    第二部材
６    抜け止め用凹凸
７    開放底面部
８ａ，８ｂ    前後両側壁部
９ａ，９ｂ    開口
１０    左右両側壁部
１１    天井部
１２    凹溝部
１３ａ，１３ｂ    被係止凹部
１４    基板部
１５ａ，１５ｂ    門形立ち上がり壁部
１６    抜け止め用係止片
１７ａ，１７ｂ    抜け止め用係止凸部
１８    抜け止め用凹凸
１９    係合領域
２０    締結領域
２１ａ，２１ｂ    舌片部
２１ｃ    帯状部
２２    補強板部
２３    指当て部
【図１】
2010023886.tif 000003
【図２】
2010023886.tif 000004
【図３】
2010023886.tif 000005
【図４】
2010023886.tif 000006
【図５】
2010023886.tif 000007
【図６】
2010023886.tif 000008
【図７】
2010023886.tif 000009
【図８】
2010023886.tif 000010
【図９】
2010023886.tif 000011
【図１０】
2010023886.tif 000012
【図１１】
2010023886.tif 000013
【図１２】
2010023886.tif 000014
【図１３】
2010023886.tif 000015
【図１４】
2010023886.tif 000016
【図１５】
2010023886.tif 000017